(57)【要約】  本発明は、ＴＤＤ−ＦＤＤ混成運用においてＨＡＲＱタイミングおよびＰＵＣＣＨリソースを設定する方法を提供する。この方法は、二次キャリアの送信タイミングに従って、二次キャリアの物理アップリンク共有チャネルのＨＡＲＱ情報を送信するステップと、さらに二次キャリア・ダウンリンク・キャリアのＰＤＳＣＨのＨＡＲＱ情報の送信タイミングを決定するために、二次キャリア・ダウンリンク・キャリアのＰＤＳＣＨのＨＡＲＱ情報が送信されるＰＵＣＣＨリソースの位置を設定するステップと、を含む。
2016538742.tif 000002
【特許請求の範囲】
【請求項１】
ＴＤＤ−ＦＤＤ混成運用においてＨＡＲＱタイミングおよびＰＵＣＣＨリソースを設定する方法であって、
二次キャリアの送信タイミングに従って、前記二次キャリアの物理アップリンク共有チャネルのＨＡＲＱ情報を送信するステップと、
さらに二次キャリア・ダウンリンク・キャリアのＰＤＳＣＨのＨＡＲＱ情報の送信タイミングを決定するために、前記二次キャリア・ダウンリンク・キャリアの前記ＰＤＳＣＨのＨＡＲＱ情報が送信されるＰＵＣＣＨリソースの位置を設定するステップと、
を備える方法。
【請求項２】
一次キャリアが、ＴＤＤキャリアであり、前記二次キャリアが、ＦＤＤキャリアである場合、
前記ＴＤＤキャリアのサブフレームにおけるＰＵＣＣＨリソースは、前記ＰＤＳＣＨの前記ＨＡＲＱ情報を送信するように構成され、
非整合サブフレームのＨＡＲＱ情報は、前記非整合サブフレームよりも４サブフレーム後である最初のＴＤＤキャリア・アップリンク・サブフレームで送信されるように構成され、
整合サブフレームのＨＡＲＱ情報の送信タイミングは、前記ＴＤＤキャリアの送信タイミングに基づいて決定され、
前記整合サブフレームは、対応するＴＤＤキャリアにおけるサブフレームへの整合リンク方向における前記ＦＤＤキャリアにおけるサブフレームであり、前記非整合サブフレームは、前記対応するＴＤＤキャリアにおけるサブフレームへの非整合方向における前記ＦＤＤキャリアにおけるサブフレームである、請求項１に記載の方法。
【請求項３】
前記整合サブフレームの前記ＨＡＲＱ情報の送信タイミングは、前記ＴＤＤキャリアの送信タイミングに従うように構成された、請求項２に記載の方法。
【請求項４】
前記整合サブフレームの前記ＨＡＲＱ情報は、前記整合サブフレームよりも４サブフレーム後である最初のＴＤＤキャリア・アップリンク・サブフレームで送信される、請求項２に記載の方法。
【請求項５】
ＦＤＤダウンリンク・キャリアにおける連続する非整合サブフレームが、連続する非整合サブフレームに直ちに続く整合サブフレームとともに、サブフレーム集合へ結合され、
前記サブフレーム集合のＨＡＲＱ情報の送信タイミングが、前記サブフレーム集合内の整合サブフレームのＨＡＲＱ情報の送信タイミングと同様に設定される、請求項２に記載の方法。
【請求項６】
前記サブフレーム集合におけるサブフレームに共通のＨＡＲＱプロセス識別子が存在する、請求項５に記載の方法。
【請求項７】
一次キャリアが、ＴＤＤキャリアであり、前記二次キャリアが、ＦＤＤキャリアを含んでいる場合、
前記ＦＤＤアップリンク・キャリアのサブフレームにおけるＰＵＣＣＨリソースは、ＨＡＲＱ情報を送信するように構成され、
少なくとも１つのＦＤＤダウンリンク・キャリアのサブフレームｎのＨＡＲＱ情報は、最も小さい二次キャリア・インデクスとともに、または、より高いレイヤの制御シグナリングによって指定されたＦＤＤアップリンク・キャリアで送信され、前記少なくとも１つのＦＤＤダウンリンク・キャリアの前記サブフレームｎの前記ＨＡＲＱ情報は、選択されたＦＤＤアップリンク・キャリアのサブフレームＺｌで送信され、前記サブフレームＺｌは、前記ＦＤＤアップリンク・キャリアのサブフレームｎ＋４である、請求項１に記載の方法。
【請求項８】
前記ＦＤＤダウンリンク・キャリアおよび前記ＴＤＤキャリアの前記ＨＡＲＱ情報は、前記ＦＤＤアップリンク・キャリアおよび前記ＴＤＤキャリアのサブフレームにおいてそれぞれ送信され、前記対応するユーザ機器は、２つのＰＵＣＣＨチャネルをサポートする、請求項７に記載の方法。
【請求項９】
一次キャリアが、ＦＤＤキャリアであり、前記二次キャリアが、ＴＤＤキャリアを含んでいる場合、
前記ＴＤＤキャリアのＰＵＳＣＨのＨＡＲＱ情報は、前記ＴＤＤキャリアのＴＤＤ構成のＨＡＲＱ情報の送信タイミングに基づいて送信され、
前記ＴＤＤキャリアのＰＤＳＣＨのＨＡＲＱ送信タイミングは、前記ＴＤＤキャリアまたは前記ダウンリンクＦＤＤキャリアのタイミングに従って設定される、請求項１に記載の方法。
【請求項１０】
前記ＰＤＳＣＨのＨＡＲＱ送信タイミングは、前記ＦＤＤダウンリンク・キャリア・タイミングまたは前記ＴＤＤキャリア・タイミングに従うタイミングとして、より高いレイヤのシグナリングによって決定される、請求項９に記載の方法。
【請求項１１】
複数のＴＤＤキャリアが、ＦＤＤキャリアによって、キャリアを超えてスケジュールされた場合、スケジュールされたＴＤＤキャリアのＰＵＳＣＨのＨＡＲＱ情報の送信タイミングは、前記スケジュールされたＴＤＤキャリアのＴＤＤ構成のＨＡＲＱタイミングに従う、請求項１に記載の方法。
【請求項１２】
前記ＦＤＤキャリアが、一次キャリアであり、前記二次キャリアが、ＴＤＤキャリアを含んでいる場合、前記スケジュールされたＴＤＤキャリアのＰＤＳＣＨのＨＡＲＱ情報の送信タイミングは、前記ＦＤＤキャリアまたは前記スケジュールされたＴＤＤキャリアのタイミングに従う、請求項１１に記載の方法。
【請求項１３】
前記ＰＤＳＣＨのＨＡＲＱ送信タイミングは、前記ＦＤＤキャリアまたは前記スケジュールされたＴＤＤキャリアに従うタイミングとして、より高いレイヤのシグナリングによって決定される、請求項１２に記載の方法。
【請求項１４】
前記ＴＤＤキャリアが、一次キャリアであり、前記二次キャリアが、ＦＤＤキャリアを含んでいる場合、
前記ＴＤＤ一次キャリアおよび前記スケジュールされたＴＤＤ二次キャリアが、同じＴＤＤ構成で構成されているのであれば、前記スケジュールされたＴＤＤキャリアの前記ＰＤＳＣＨの前記ＨＡＲＱ情報は、前記一次ＴＤＤキャリアのタイミングに従って送信され、
前記ＴＤＤ一次キャリアおよび前記スケジュールされたＴＤＤ二次キャリアが、異なるＴＤＤ構成で構成されているのであれば、前記スケジュールされたＴＤＤキャリアの前記ＰＤＳＣＨの前記ＨＡＲＱ情報のタイミングは、キャリアを超えたスケジューリングの既存のルールに基づいて決定される、請求項１１に記載の方法。
【発明の詳細な説明】
【技術分野】
【０００１】
本開示は、一般に、ワイヤレス通信の分野に関し、さらに詳しくは、ＴＤＤ−ＦＤＤ混成運用においてＨＡＲＱタイミングおよびＰＵＣＣＨリソースを設定する方法に関する。
【背景技術】
【０００２】
前回のＲＡＮ＃６０ミーティングでは、ロング・ターム・エボリューション（ＬＴＥ）における時分割複信（ＴＤＤ）および周波数分割複信（ＦＤＤ）の混成運用ソリューションが承認された。その目的は、ワーク・アイテムの初期シナリオ事前評価フェーズの結果に依存して、ＴＤＤ−ＦＤＤキャリア・アグリゲーション機能を用いて、また潜在的な他のＴＤＤ−ＦＤＤ混成ソリューションを用いて、ＬＴＥ  ＴＤＤ−ＦＤＤ混成運用を増強することである。
【０００３】
キャリア・アグリゲーション、または、ＦＤＤキャリアとＴＤＤキャリアとの間の二重接続の何れかが、ＦＤＤスペクトルとＴＤＤスペクトルとの両方を有するオペレータのために、システム柔軟性およびパフォーマンス利得を提供し得る。特に、制御シグナリングおよびサブフレーム・タイミングにおけるＬＴＥ  ＦＤＤとＴＤＤとの規格の相違により、そのようなＴＤＤ−ＦＤＤキャリア・アグリゲーションを実現するために、アップリンク（ＵＬ）／ダウンリンク（ＤＬ）制御チャネルのための新たなシグナリングおよびスケジューリング／ハイブリッド自動反復要求（ＨＡＲＱ）タイミング設計が必要である。この問題が対処され得る特定のソリューションは今のところ存在していない。
【発明の概要】
【発明が解決しようとする課題】
【０００４】
上記の問題を考慮して、本発明は、ＴＤＤ−ＦＤＤ混成運用ソリューションを提供する。
【課題を解決するための手段】
【０００５】
本発明の第１の態様によれば、ＴＤＤ−ＦＤＤ混成運用においてＨＡＲＱタイミングおよびＰＵＣＣＨリソースを設定する方法が提供され、この方法は、二次キャリアの送信タイミングに従って、二次キャリアの物理アップリンク共有チャネルのＨＡＲＱ情報を送信するステップと、さらに二次キャリア・ダウンリンク・キャリアのＰＤＳＣＨのＨＡＲＱ情報の送信タイミングを決定するために、二次キャリア・ダウンリンク・キャリアのＰＤＳＣＨのＨＡＲＱ情報が送信されるＰＵＣＣＨリソースの位置を設定するステップと、を含む。
【０００６】
本発明の実施形態では、一次キャリアがＴＤＤキャリアであり、二次キャリアがＦＤＤキャリアである場合、ＴＤＤキャリアのサブフレームにおけるＰＵＣＣＨリソースは、ＰＤＳＣＨのＨＡＲＱ情報を送信するように構成され、非整合サブフレームのＨＡＲＱ情報は、非整合サブフレームよりも４サブフレーム後である最初のＴＤＤキャリア・アップリンク・サブフレームで送信されるように構成され、整合サブフレームのＨＡＲＱ情報の送信タイミングは、ＴＤＤキャリアの送信タイミングに基づいて決定され、整合サブフレームは、対応するＴＤＤキャリアにおけるサブフレームへの整合リンク方向におけるＦＤＤキャリアにおけるサブフレームであり、非整合サブフレームは、対応するＴＤＤキャリアにおけるサブフレームへの非整合方向におけるＦＤＤキャリアにおけるサブフレームである。
【０００７】
本発明の実施形態では、整合サブフレームのＨＡＲＱ情報の送信タイミングは、ＴＤＤキャリアの送信タイミングに従うように構成される。
【０００８】
本発明の実施形態では、整合サブフレームのＨＡＲＱ情報は、整合サブフレームよりも４サブフレーム後である最初のＴＤＤキャリア・アップリンク・サブフレームで送信される。
【０００９】
本発明の実施形態では、ＦＤＤダウンリンク・キャリアにおける連続する非整合サブフレームが、連続する非整合サブフレームに直ちに続く整合サブフレームとともに、サブフレーム集合へ結合され、サブフレーム集合のＨＡＲＱ情報の送信タイミングが、サブフレーム集合内の整合サブフレームのＨＡＲＱ情報の送信タイミングと同様に設定される。
【００１０】
本発明の実施形態では、サブフレーム集合におけるサブフレームに共通のＨＡＲＱプロセス識別子が存在する。
【００１１】
本発明の実施形態では、一次キャリアがＴＤＤキャリアであり、二次キャリアがＦＤＤキャリアを含んでいる場合、ＦＤＤアップリンク・キャリアのサブフレームにおけるＰＵＣＣＨリソースは、ＨＡＲＱ情報を送信するように構成され、少なくとも１つのＦＤＤダウンリンク・キャリアのサブフレームｎのＨＡＲＱ情報は、最も小さい二次キャリア・インデクスとともに、または、より高いレイヤの制御シグナリングによって指定されたＦＤＤアップリンク・キャリアで送信され、少なくとも１つのＦＤＤダウンリンク・キャリアのサブフレームｎのＨＡＲＱ情報は、選択されたＦＤＤアップリンク・キャリアのサブフレームＺｌで送信され、サブフレームＺｌは、ＦＤＤアップリンク・キャリアのサブフレームｎ＋４である。
【００１２】
本発明の実施形態では、ＴＤＤキャリアおよびＦＤＤダウンリンク・キャリアのＨＡＲＱ情報は、ＴＤＤキャリアおよびＦＤＤアップリンク・キャリアのサブフレームにおいてそれぞれ送信され、対応するユーザ機器は、２つのＰＵＣＣＨチャネルをサポートする。
【００１３】
ＴＤＤ二次キャリアおよび一次キャリアが、同じＴＤＤ構成で構成されているのであれば、ＴＤＤキャリアのＨＡＲＱ情報は、ＴＤＤ一次キャリアのＨＡＲＱタイミングに従い、そうではない場合には、既存の技術仕様におけるように送信される。
【００１４】
本発明の実施形態では、一次キャリアが、ＦＤＤキャリアであり、二次キャリアが、ＴＤＤキャリアを含んでいる場合、ＴＤＤキャリアのＰＵＳＣＨのＨＡＲＱ情報は、ＴＤＤキャリアのＴＤＤ構成のＨＡＲＱ情報の送信タイミングに基づいて送信され、ＴＤＤキャリアのＰＤＳＣＨのＨＡＲＱ送信タイミングは、ダウンリンクＦＤＤキャリアまたはＴＤＤキャリアのタイミングに従って設定される。
【００１５】
本発明の実施形態では、ＰＤＳＣＨのＨＡＲＱ送信タイミングは、ＦＤＤダウンリンク・キャリア・タイミングまたはＴＤＤキャリア・タイミングに従うタイミングとして、より高いレイヤのシグナリングによって決定される。
【００１６】
本発明の実施形態では、複数のＴＤＤキャリアが、ＦＤＤキャリアによってキャリアを超えてスケジュールされる場合、スケジュールされたＴＤＤキャリアのＰＵＳＣＨのＨＡＲＱ情報の送信タイミングは、スケジュールされたＴＤＤキャリアのＴＤＤ構成のＨＡＲＱタイミングに従う。
【００１７】
本発明の実施形態では、ＦＤＤキャリアが、一次キャリアであり、二次キャリアが、ＴＤＤキャリアを含んでいる場合、スケジュールされたＴＤＤキャリアのＰＤＳＣＨのＨＡＲＱ情報の送信タイミングは、ＦＤＤキャリアまたはスケジュールされたＴＤＤキャリアのタイミングに従う。
【００１８】
本発明の実施形態では、ＰＤＳＣＨのＨＡＲＱ送信タイミングは、ＦＤＤキャリアまたはスケジュールされたＴＤＤキャリアに従うタイミングとして、より高いレイヤのシグナリングによって決定される。
【００１９】
本発明の実施形態では、ＴＤＤキャリアが、一次キャリアであり、二次キャリアが、ＦＤＤキャリアを含んでいる場合、ＴＤＤ一次キャリアおよびスケジュールされたＴＤＤ二次キャリアが、同じＴＤＤ構成で構成されているのであれば、スケジュールされたＴＤＤキャリアのＰＤＳＣＨのＨＡＲＱ情報は、一次ＴＤＤキャリアのタイミングに従って送信され、ＴＤＤ一次キャリアおよびスケジュールされたＴＤＤ二次キャリアが、異なるＴＤＤ構成で構成されているのであれば、スケジュールされたＴＤＤキャリアのＰＤＳＣＨのＨＡＲＱ情報のタイミングは、キャリアを超えたスケジューリングの既存のルールに基づいて決定される。
【００２０】
一次キャリアがＦＤＤキャリアまたはＴＤＤキャリアであり、ＨＡＲＱ情報の送信においてタイミング衝突が発生することを回避する場合、本発明は、異なるキャリア間のＨＡＲＱタイミング問題に対処する。
【００２１】
本発明は、ＴＤＤ−ＦＤＤ混成運用におけるＨＡＲＱ情報のタイミングを設定でき得る。
【００２２】
本発明は、以下の図面を参照して考慮された本発明の特定の実施形態の以下の説明から、より良く理解されるようになり、本発明の他の目的、詳細、特徴、および利点が、より明確になるであろう。
【図面の簡単な説明】
【００２３】
【図１】ＴＤＤ−ＦＤＤ混成システムにおけるＨＡＲＱ情報の送信タイミングの問題の概略図である。
【図２】本発明の実施形態に従って、ＴＤＤ−ＦＤＤ混成システムにおいてＨＡＲＱ情報を送信する概略図である。
【図３】本発明の別の実施形態に従って、ＴＤＤ−ＦＤＤ混成システムにおいてＨＡＲＱ情報を送信する概略図である。
【図４】本発明の別の実施形態に従って、ＴＤＤ−ＦＤＤ混成システムにおいてＨＡＲＱ情報を送信する概略図である。
【発明を実施するための形態】
【００２４】
この開示の好適な実施形態が、図面を参照して詳細に以下に記載されるであろう。この開示の好適な実施形態は、図面において例示されているが、この開示は、様々な形態で具体化され得るが、ここに記載された実施形態に限定されないものとすると認識されるものとする。一方、これら実施形態は、この開示をより十分かつ完全にし、この開示の範囲を、当業者に完全に伝えるために提供されている。
【００２５】
このコンテキストでは、整合サブフレームは、対応するＴＤＤキャリアにおけるサブフレームへの整合方向（ＤＬまたはＵＬ）におけるＦＤＤキャリアにおけるサブフレームを称し、非整合サブフレームは、対応するＴＤＤキャリアにおけるサブフレームへの非整合方向におけるＦＤＤキャリアにおけるサブフレームを称する。たとえば、図１に例示されるタイミングでは、無線フレームのサブフレーム２、３、７および８は、ＦＤＤ  ＤＬキャリアにおけるダウンリンク・サブフレームである一方、ＴＤＤキャリアにおける対応するサブフレーム２、３、７および８は、アップリンク・サブフレームであり、したがって、それらの方向は非整合であり、ＦＤＤ  ＤＬキャリアにおけるサブフレーム２、３、７および８は、左に傾いた線によって示される非整合サブフレーム（または、さらに具体的には、ＤＬ非整合サブフレーム）と称される。同様に、図１に例示されるタイミングでは、無線フレームのサブフレーム０、１、４〜６および９は、ＦＤＤ  ＵＬキャリアにおけるアップリンク・サブフレームである一方、ＴＤＤキャリアにおける対応するサブフレーム０、１、４〜６および９は、ダウンリンク・サブフレームであるので、それらの方向は非整合であり、ＦＤＤ  ＵＬキャリアにおけるサブフレーム０、１、４〜６および９は、右に傾いた線によって示される非整合サブフレーム（または、さらに具体的には、ＵＬ非整合サブフレーム）と称される。
【００２６】
図１に例示されるように、ＦＤＤキャリアにおける整合サブフレームは、同じタイミング関係にあるＴＤＤキャリアにおける対応するサブフレームによってスケジュールされるので、整合サブフレームのスケジューリング問題は、対処が容易である。たとえば、ＴＤＤ構成１のＵＬスケジューリング・タイミング（たとえば、２０１３年７月に発行された３ＧＰＰ  ＴＳ  ３６．２１３  Ｖ  １１．３．０、表８−２参照）では、（図１において、それぞれ自分自身を指す矢印を備えたＴＤＤ  ＤＬサブフレーム０、１、４〜６および９と、対応するＦＤＤ  ＤＬサブフレーム０、１、４〜６および９とによって例示されるように）、ＦＤＤ  ＵＬ整合サブフレーム０、１、４〜６および９は、対応するＴＤＤサブフレーム０、１、４〜６および９によってスケジュールされ、（図１において、対応するＴＤＤ  ＵＬサブフレーム２、３、７および８をそれぞれ指す矢印を備えたＴＤＤサブフレーム６、９、１および４と、対応するＦＤＤ  ＵＬサブフレーム２、３、７および８とによって例示されるように）、ＦＤＤ  ＵＬ整合サブフレーム２、３、７および８は、対応するＴＤＤサブフレーム２、３、７および８によってスケジュールされるＴＤＤサブフレーム６、９、１および４によってそれぞれスケジュールされ得る。
【００２７】
本発明のアイデアをより良く説明するために、本発明に従うスケジューリング方法が、多くのシナリオに関連して記載されるであろう。
【００２８】
シナリオ１：ＴＤＤキャリアは、一次キャリアであり、ＰＤＳＣＨ／ＰＵＳＣＨのＨＡＲＱタイミングが存在する。
【００２９】
第１に、ＰＵＳＣＨのＨＡＲＱタイミングが決定される。
【００３０】
ＴＤＤキャリアが一次キャリアとして設定された場合、ＦＤＤアップリンク・キャリアのＰＵＳＣＨのＨＡＲＱ情報の送信タイミングは、それ自身のタイミングに従い得る。すなわち、ＨＡＲＱ情報が、ＦＤＤダウンリンク・キャリアの自己スケジュールされたＰＨＩＣＨで送信される。
【００３１】
第２に、ＦＤＤダウンリンク・キャリアのＰＤＳＣＨのＨＡＲＱタイミングが決定される。
【００３２】
キャリア自己スケジューリングが実施され、ＴＤＤキャリアが一次キャリアとして設定された場合、ＰＤＳＣＨのスケジューリング問題は発生しないであろうが、ＨＡＲＱ情報の送信がコンフリクトするであろう。現在の通信規格におけるキャリア・アグリゲーションに基づいて、ＨＡＲＱ情報は、ＰＣＣにおける物理アップリンク制御チャネル（ＰＵＣＣＨ）のみで送信され得る。ＴＤＤキャリアおよびＦＤＤキャリアがアグリゲートされ、ＴＤＤキャリアがＰＣＣとして設定された場合、ＡＣＫ／ＮＡＣＫが、ＴＤＤキャリアによって、ＰＵＣＣＨまたはＰＵＳＣＨで伝送されるであろう。現在におけるＰＤＳＣＨのＨＡＲＱタイミングの一般的な問題は、図１に関連してさらに述べられるであろう。
【００３３】
ＦＤＤダウンリンク・キャリアのＨＡＲＱタイミングをどのようにして決定するのであろう。ＦＤＤキャリアに従うのであれば、ＨＡＲＱ情報をそのＰＵＣＣＨリソースを用いて送信するために、どのキャリアが使用され得るのであろう？また、ＴＤＤキャリアに従うのであれば、ダウンリンクにおける非整合サブフレーム（ＳＦ）のタイミングが決定される必要がある。
【００３４】
上記の問題に対処するために、本発明は以下のような方法を提案する。
第１の方法は、以下の通りである。
図２は、本発明の実施形態に従う第１のスケジューリング方法の概略図である。このスケジューリング方法をより明確に説明するために、例として、第１のフレームにおけるサブフレーム０〜９を考慮して記載されるであろう。
【００３５】
既存の規格では、ＨＡＲＱ情報は、一次キャリア（本実施形態におけるＴＤＤキャリア）におけるＰＵＣＣＨのみで送信され得るので、ＦＤＤキャリアのダウンリンク・サブフレームｎのためのＨＡＲＱフィードバックは、一般に、一次キャリアのＰＵＣＣＨにおけるアップリンク・サブフレームｎ＋４に位置する。ＴＤＤ−ＦＤＤ混成運用におけるＴＤＤキャリアに、連続するアップリンク・サブフレームは存在しないので、ＨＡＲＱ情報が送信されることができるＰＵＣＣＨリソースは不十分である。
【００３６】
十分なＰＵＣＣＨリソースを提供するために、本発明は、ＦＤＤアップリンク・キャリアにおけるＰＵＣＣＨで、ＦＤＤキャリアのＨＡＲＱ情報を送信する。すなわち、ＴＤＤキャリアおよびＦＤＤキャリアのＨＡＲＱ情報がそれぞれ送信され、ユーザ機器（ＵＥ）は、２つのＰＵＣＣＨチャネルをサポートする。すなわち、ＴＤＤキャリアのＨＡＲＱ情報の送信タイミングは、ＴＤＤ一次キャリアのＨＡＲＱタイミングに従う。特に、ＴＤＤ二次キャリアが、一次キャリアと同じＴＤＤ構成で構成されているのであれば、ＴＤＤキャリアのＨＡＲＱ情報は、ＴＤＤ一次キャリアのＨＡＲＱタイミングに従い、そうではない場合には、既存の技術仕様に従って送信される。ＦＤＤダウンリンク・キャリアのＨＡＲＱ情報は、ＦＤＤアップリンク・キャリアのＨＡＲＱタイミングに従う。特に、ＦＤＤダウンリンク・キャリアのＨＡＲＱ情報は、ＦＤＤキャリアのアップリンクにおけるＰＵＣＣＨに割り当てられ、ＰＵＣＣＨは、いかなる限定もなく、以下に示す２つの代案で決定され得るＦＤＤキャリアにおけるサブフレームに特に割り当てられる。
【００３７】
ａ）典型的には各ＦＤＤアップリンク／ダウンリンク・キャリアが、対応するインデクスを与えられている、複数の二次キャリアを提供された通信システムにおいて、最も小さなインデクス（ＳＣｅｌｌ−インデクス）を備えたＦＤＤアップリンク・キャリアが選択され、遅延を低減するために、または、システムの実現を容易にするために、ＦＤＤダウンリンク・キャリアのＨＡＲＱ情報を送信するために、最も小さいインデクスに対応するＦＤＤアップリンク・キャリアが選択され、これによって、どのシグナリング・リソースも占有されず、ユーザ機器の操作が比較的容易になり、よって、ユーザ機器における要求が低減されるようになる。
【００３８】
ｂ）より高いレイヤの制御シグナリングによって指定される。すなわち、ＦＤＤアップリンク・キャリアは、ＨＡＲＱ情報を送信するために、制御シグナリングによって特に指定され得る。そのため、システムの柔軟性および順応性が改善され得るが、シグナリング・リソースの一部が占有される必要がある。
【００３９】
ＦＤＤダウンリンク・キャリアのサブフレームｎのＨＡＲＱ情報は、指定されたＦＤＤアップリンク・キャリアで送信される場合、ＦＤＤアップリンク・キャリアにおけるサブフレームｎ＋４で送信される。
【００４０】
ＨＡＲＱタイミングに加えて、たとえば、周期的なチャネル状態情報（ＣＳＩ）のような、他の時間的に制約されたアップリンク制御情報（ＵＣＩ）の全てが、前述した方法で送信され得る。さらに、ＨＡＲＱ情報は、前述した方法における送信のために、ＦＤＤアップリンクに入れられるので、管理のため、多くてもせいぜい１５のＴＤＤ  ＨＡＲＱ処理のうちの何れも占有されないであろう。
【００４１】
第２の方法は以下の通りである。
ＴＤＤ一次キャリアのアップリンク・サブフレームが、ＰＵＣＣＨリソースとして使用され、ＦＤＤダウンリンク・キャリアにおけるダウンリンク・サブフレームｎのＨＡＲＱ情報が、ＴＤＤ一次キャリアにおけるアップリンク・サブフレームｋで送信される。したがって、サブフレームｋは、ｋ≧ｎ＋４の条件を満たす必要がある。ここから生じる遅延を最小化するために、サブフレームｎ＋４からの最短距離におけるアップリンク・サブフレームが、ＨＡＲＱ情報を送信するために選択され得る。
【００４２】
前述したように設定されたタイミングによって、いかなるＨＡＲＱ衝突も存在しないであろう。ＰＵＣＣＨリソース・マッピングのために、ＦＤＤ二次キャリアにおける複数のダウンリンク・サブフレームのＨＡＲＱ情報は、同じアップリンク・サブフレームのＰＵＣＣＨにおいて構成される。既存の規格では、ＰＤＳＣＨのＨＡＲＱ情報を送信するために、ＰＵＣＣＨリソースは、より高いレイヤのシグナリングによって決定され、一次キャリアにおける対応するＰＤＣＣＨの最初のＣＣＥインデクスに基づいて、ＰＵＣＣＨリソース割当には、衝突がないであろう。キャリアを超えてスケジューリングが実行され、ＴＤＤキャリアが一次キャリアである場合、異なるキャリアにおける異なるダウンリンク・サブフレームのＰＤＣＣＨ割当が、スケジュールしているキャリアにおける同じダウンリンク・サブフレーム内で送信されるので、ＰＵＣＣＨリソース割当のいかなる問題もないであろう。したがって、ＰＵＣＣＨリソース衝突はない。
【００４３】
第３の方法は以下の通りである。
図３は、本発明の実施形態に従う第３のスケジューリング方法の概略図である。ＴＤＤ一次キャリアのＨＡＲＱ情報タイミングに従って、ＦＤＤダウンリンク・キャリアのうちのサブフレーム０および１のＨＡＲＱ情報の送信タイミングは、ＴＤＤキャリアにおける対応するサブフレーム０および１と同じになり得、この前提条件の下、非整合サブフレームのＦＤＤダウンリンク・キャリアの最初のフレームにおけるサブフレーム２および３のＨＡＲＱ情報が送信される、対応するＰＵＣＣＨは存在しないであろう。したがって、タイミングは、非整合サブフレームに割り当てられるものとする。
【００４４】
図３に例示されるように、ＦＤＤダウンリンク・キャリアにおけるサブフレーム２および３は、非整合サブフレームであり、そのＨＡＲＱ情報が送信され得るＰＵＣＣＨリソースは、少なくとも一時的にサブフレーム６または７に存在するが、サブフレーム６は、ＨＡＲＱ情報を送信できないダウンリンク・サブフレームである。その結果、遅延をできるだけ低減させるために、非整合サブフレーム２および３に最も近いＴＤＤアップリンク・キャリアにおけるサブフレーム７が選択され、ＨＡＲＱ情報が送信されるＰＵＣＣＨリソースとしてサービス提供する。
【００４５】
したがって、非整合サブフレームのＨＡＲＱ情報の送信タイミングは、ＴＤＤアップリンク・キャリアによって決定される、すなわち、非整合サブフレームｎのＨＡＲＱ情報は、ＦＤＤアップリンク・キャリアのサブフレームｎ＋４に最も近い後続するアップリンク・サブフレームで送信される。
【００４６】
第４の方法は以下の通りである。
図４は、本発明の実施形態に従う第４のスケジューリング方法の概略図である。
【００４７】
第３の方法から明らかであり得るように、ＦＤＤダウンリンク・キャリアの非整合サブフレーム２および３の、同じＨＡＲＱ送信タイミングが存在し、ＦＤＤダウンリンク・キャリアのサブフレーム４のＨＡＲＱ情報は、ＴＤＤキャリアの構成によって決定される。
【００４８】
第４の方法では、ＦＤＤダウンリンク・キャリアにおける非整合サブフレームのＨＡＲＱ情報は、送信のために、直ちにそれに後続する整合サブフレームのＨＡＲＱ情報で束ねられる。特に、ＦＤＤダウンリンク・キャリアのサブフレーム２、３、および４のＨＡＲＱ情報は、ＴＤＤキャリアのサブフレーム８において束ねられ送信される。これによって、ＦＤＤダウンリンク・キャリアのサブフレーム２、３、および４のＨＡＲＱ情報は、最小の遅延で送信されるようになり得る。そして、これら３つのサブフレームのＨＡＲＱタイミングがサブフレーム４によって決定されるので、システムを実現するための操作は容易である。
【００４９】
少なくとも４つの送信時間インタバル（ＴＴＩ）のＨＡＲＱ送信に遅延が存在するので、ＦＤＤダウンリンク・キャリアのサブフレーム４および５のＨＡＲＱ情報は、異なるＰＵＣＣＨで送信されるであろう。そして、サブフレーム２〜５がともに束ねられると、対応するＨＡＲＱ情報が、第２のフレームのサブフレーム２で送信されるであろう。それは顕著な遅延をもたらし得る。
【００５０】
他のシナリオにおけるＨＡＲＱタイミングの問題が、以下に議論される。
シナリオ２：：
ＦＤＤキャリアが一次キャリアである場合、ＰＤＳＣＨ／ＰＵＳＣＨのスケジューリングがある。
【００５１】
ＴＤＤ二次キャリア上のダウンリンク・サブフレームが、ＦＤＤダウンリンク一次キャリアのダウンリンク・サブフレーム集合のサブセットであり得る場合、ＴＤＤ二次キャリアのＰＤＳＣＨのＨＡＲＱタイミングは、ＦＤＤダウンリンク一次キャリアまたはＴＤＤ二次キャリアのタイミングに従い得る。
【００５２】
ＨＡＲＱ遅延を低減するために、ＴＤＤ二次キャリアのＰＤＳＣＨタイミングが、ＦＤＤダウンリンク一次キャリアのタイミングに従い、これによって、ＴＤＤダウンリンク・サブフレームに対する１つのＨＡＲＱ遅延が生じるようになる。ＴＤＤキャリアのＨＡＲＱタイミングに従って、少なくとも４つのＴＴＩのＨＡＲＱに、対応する遅延が存在し、ＦＤＤキャリアのＨＡＲＱタイミングに従って、４つのＴＴＩのＨＡＲＱに、対応する遅延が存在する。
【００５３】
さらに、特に、従うタイミングがＦＤＤキャリアのものであるか、またはＴＤＤキャリアのものであるかは、より高いレイヤのシグナリングによって二者択一的に決定され得る。これは、適用可能性を増加させ得る。
【００５４】
シナリオ３：
複数のＴＤＤキャリアが、ＦＤＤ一次キャリアによって、キャリアを超えてスケジュールされる場合、ＰＤＳＣＨ／ＰＵＳＣＨのスケジューリングがある。
【００５５】
ＰＤＳＣＨのＨＡＲＱタイミングのために、ＨＡＲＱ情報が、一次キャリアのＰＵＣＣＨで送信されるのであれば、以下の状況が存在する。
１）ＦＤＤキャリアが一次キャリアであり、スケジュールされたＴＤＤ二次キャリアのＰＤＳＣＨのＨＡＲＱタイミングが、ＴＤＤ二次キャリアまたはＦＤＤダウンリンク一次キャリアのタイミングに従い得る。
【００５６】
Ａ．ＦＤＤダウンリンク・サブフレームに従う。そして、この時に、ＴＤＤアップリンク・サブフレームに対する１つのＨＡＲＱ遅延が存在する。上記の説明から明らかになり得るように、ＦＤＤキャリアのタイミングに従う場合、４つのＴＴＩのＨＡＲＱに遅延が存在する。
【００５７】
Ｂ．特に、従うタイミングがＦＤＤキャリアのものであるか、またはスケジュールされたＴＤＤ二次キャリアのものであるかは、より高いレイヤのシグナリングによって決定される。
【００５８】
２）二次キャリアは、ＦＤＤキャリアを含み、ＴＤＤキャリアは、一次キャリアである。
【００５９】
Ａ．ＴＤＤ一次キャリアが、ＴＤＤ二次キャリアと同じＴＤＤ構成で構成されているのであれば、スケジュールされたＴＤＤキャリアのＰＤＳＣＨのＨＡＲＱ情報は、ＴＤＤ一次キャリアのタイミングに従って送信される。
【００６０】
Ｂ．ＴＤＤ一次キャリアが、ＴＤＤ二次キャリアとは異なるＴＤＤ構成で構成されているのであれば、スケジュールされたＴＤＤキャリアのＰＤＳＣＨのＨＡＲＱ情報の送信タイミングは、キャリアを超えたスケジューリングの既存のルールに基づいて決定される。
【００６１】
一次キャリアが、ＦＤＤキャリアまたはＴＤＤキャリアであり、ＨＡＲＱ情報の送信においてタイミング衝突が発生することを回避する場合、本発明は、異なるキャリア間のＨＡＲＱタイミングに対処する。
【００６２】
本明細書で開示された方法は、図面を参照してこのコンテキストに記載された。しかしながら、図面に例示され、詳細説明に記載されたステップの順序は、単に例示的であり、これらの方法ステップおよび／または動作は、添付された請求項の範囲から逸脱することなく、また、図面に例示され詳細説明に記載された特定の順序に限定することなく、別の順序で実行され得ることが認識されるものとする。
【００６３】
１つまたは複数の例示的な設計において、この出願に記載された機能は、ハードウェア、ソフトウェア、ファームウェア、またはその任意の組合せで実行され得る。これら機能は、ソフトウェアで実行されるのであれば、１つまたは複数の命令またはコードとしてコンピュータ読取可能な媒体に記憶され得るか、または、コンピュータ記憶媒体または通信媒体を含むコンピュータ読取可能な媒体における１つまたは複数の命令またはコードとして送信され得る。ここで、通信媒体は、コンピュータ・プログラムが１つの場所から別の場所へ伝送される任意の媒体を含む。記憶媒体は、汎用または専用コンピュータにアクセス可能な任意の利用可能な媒体であり得る。コンピュータ読取可能な媒体は、限定されないが、たとえば、ＲＡＭ、ＲＯＭ、ＥＥＰＲＯＭ、ＣＤ−ＲＯＭまたはその他の光ディスク記憶デバイス、磁気ディスク記憶デバイスまたはその他の磁気記憶デバイス、または、汎用または専用コンピュータ、または、汎用または専用プロセッサにアクセス可能なデータ構造または命令の形態で、好ましいプログラム・コード・モジュールを伝送または記憶し得るその他任意の媒体、を含み得る。さらに、任意の媒体は、コンピュータ読取可能な媒体とも称され得る。たとえば、ソフトウェアが、同軸ケーブルや、光ファイバ・ケーブルや、ツイスト・ペアや、デジタル加入者線（ＤＳＬ）や、あるいは、たとえば、赤外線、無線、またはマイクロ波等のような無線技術によって、ウェブサイト、サーバまたは別の遠隔ソースから送信されるのであれば、同軸ケーブルや、光ファイバ・ケーブルや、ツイスト・ペアや、ＤＳＬや、あるいは、たとえば、赤外線、無線、またはマイクロ波等のような無線技術もまた、媒体の定義に含まれるであろう。
【００６４】
この開示に記載された様々な典型的な論理ブロック、モジュールおよび回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）またはその他のプログラマブル論理デバイス、ディスクリート・ゲートまたはトランジスタ・ロジック、ディスクリート・ハードウェア構成要素、または、本明細書に記載された機能を実行するための任意の組合せで具体化または実行され得る。このコンテキストにおいて開示された装置内のそれぞれの要素は、ディスクリート・ハードウェア構成要素において具体化され得るか、または、たとえばプロセッサのような単一のハードウェア構成要素上に統合され得る。汎用プロセッサは、マイクロプロセッサであり得るか、または、プロセッサは、任意の一般的なプロセッサ、コントローラ、マイクロ・コントローラ、またはステート・マシンであり得る。あるいは、プロセッサは、たとえば、ＤＳＰとマイクロプロセッサとの組合せ、複数のマイクロプロセッサ、１つまたは複数のマイクロプロセッサとＤＳＰコアとの組合せ、またはその他任意のそのような構成のようなコンピューティング・デバイスの組合せで具体化され得る。
【００６５】
当業者であればさらに、この出願の実施形態に関連して記載された様々な典型的な論理ブロック、モジュール、回路およびアルゴリズム・ステップは、電子ハードウェア、コンピュータ・ソフトウェア、またはこれら両方の組合せで具体化され得ることを認識するものとする。ハードウェアとソフトウェアとのそのような相互交換性を明確に表すために、様々な典型的な構成要素、ブロック、モジュール、回路およびステップが、それらの機能の観点から一般的に上述された。これら機能がハードウェアまたはソフトウェアで実行されるか否かは、システム全体に課される設計制約条件または特定のアプリケーションによって決定され得る。当業者であれば、それぞれ特定のアプリケーションのためにここで記載された機能を、多くの修正によって実施でき得るが、そのような実施決定は、本発明の範囲からの逸脱として見なされないものとする。
【００６６】
この開示の前述した記載は、当業者が、本発明を製造または使用できるように意図されている。この開示の様々な修正が、当業者に明らかになり、このコンテキストで定義された一般的な原理はまた、本発明の精神および範囲から逸脱することなく、他の変形にも適用可能であり得る。したがって、本発明は、このコンテキストにおいて記載された例および設計に限定されないであろうが、このコンテキストで開示された原理および新規の特徴の最も広い範囲と整合し得る。
【図１】
2016538742.tif 000003
【図２】
2016538742.tif 000004
【図３】
2016538742.tif 000005
【図４】
2016538742.tif 000006
【国際調査報告】
2016538742.tif 000007
2016538742.tif 000008
2016538742.tif 000009
2016538742.tif 000010
2016538742.tif 000011
2016538742.tif 000012
2016538742.tif 000013
2016538742.tif 000014